(57)【要約】【課題】赤外光受光素子および可視光受光素子を同一の樹脂にて封止でき、製造の手間やコストを省くことができる受光装置を提供する。【解決手段】演算処理回路２０は、赤外光受光素子１１および可視光受光素子１２の出力の出力成分のうち、互いに重複する分光感度領域に属する出力成分をキャンセルして、互いに異なる分光感度領域に属する出力成分を表すリモコン用受光信号Ｓ１および照度用受光信号Ｓ２を得るように、赤外光受光素子１１および可視光受光素子１２の出力を演算処理する。赤外光受光素子１１、可視光受光素子１２および演算処理回路２０は、同一の封止樹脂６によって、封止される。このため、赤外光受光素子１１および可視光受光素子１２を同一の封止樹脂６にて封止しても、リモコン用受光信号Ｓ１および照度用受光信号Ｓ２を判別できる。【選択図】図２
2012132835.tif 000002
【特許請求の範囲】
【請求項１】
第１光を受ける第１受光素子と、
第２光を受けると共に、上記第１受光素子の分光感度特性とは異なる分光感度特性を有する第２受光素子と、
上記第１および第２受光素子の出力の出力成分のうち、互いに重複する分光感度領域に属する出力成分をキャンセルして、互いに異なる分光感度領域に属する出力成分を表す第１および第２信号を得るように、上記第１および第２受光素子の出力を演算処理する演算処理回路と、
上記第１受光素子、第２受光素子および演算処理回路を支持する支持部材と、
上記第１受光素子、第２受光素子および演算処理回路を封止する光透過性の同一の封止樹脂と
を備えることを特徴とする受光装置。
【請求項２】
請求項１に記載の受光装置において、
上記第１光はリモコン信号を表す赤外光であり、上記第１受光素子は赤外光受光素子であり、
上記第２光は可視光であり、上記第２受光素子は可視光受光素子であり、
上記第１信号は、リモコン用受光信号であり、上記第２信号は、照度用受光信号であることを特徴とする受光装置。
【請求項３】
請求項２に記載の受光装置において、
上記演算処理回路からの上記リモコン用受光信号を受けて、上記リモコン信号を求めるリモコン信号処理回路と、
上記演算処理回路からの上記照度用受光信号を受けて、周囲の照度を求める照度検出処理回路と
を備え、
上記支持部材は、上記リモコン信号処理回路および上記照度検出処理回路を支持し、
上記封止樹脂は、上記リモコン信号処理回路および上記照度検出処理回路を封止していることを特徴とする受光装置。
【請求項４】
請求項３に記載の受光装置において、
上記赤外光受光素子、上記可視光受光素子、上記演算処理回路、上記リモコン信号処理回路および上記照度検出処理回路は、同一チップ内に、配置されていることを特徴とする受光装置。
【請求項５】
請求項３に記載の受光装置において、
上記赤外光受光素子、上記可視光受光素子、上記演算処理回路および上記照度検出処理回路は、第１のチップ内に、配置され、
上記リモコン信号処理回路は、第２のチップ内に、配置され、
上記赤外光受光素子、上記可視光受光素子および上記演算処理回路は、上記リモコン信号処理回路および上記照度検出処理回路に対する共通の回路として、構成されていることを特徴とする受光装置。
【請求項６】
請求項３に記載の受光装置において、
上記赤外光受光素子、上記可視光受光素子、上記演算処理回路および上記リモコン信号処理回路は、第１のチップ内に、配置され、
上記照度検出処理回路は、第２のチップ内に、配置され、
上記赤外光受光素子、上記可視光受光素子および上記演算処理回路は、上記リモコン信号処理回路および上記照度検出処理回路に対する共通の回路として、構成されていることを特徴とする受光装置。
【請求項７】
請求項３に記載の受光装置において、
上記赤外光受光素子および上記可視光受光素子は、第１のチップ内に、配置され、
上記演算処理回路、上記リモコン信号処理回路および上記照度検出処理回路は、第２のチップ内に、配置され、
上記赤外光受光素子、上記可視光受光素子および上記演算処理回路は、上記リモコン信号処理回路および上記照度検出処理回路に対する共通の回路として、構成されていることを特徴とする受光装置。
【請求項８】
請求項３に記載の受光装置において、
上記赤外光受光素子、上記可視光受光素子および上記演算処理回路は、第１のチップ内に、配置され、
上記リモコン信号処理回路は、第２のチップ内に、配置され、
上記照度検出処理回路は、第３のチップ内に、配置され、
上記赤外光受光素子、上記可視光受光素子および上記演算処理回路は、上記リモコン信号処理回路および上記照度検出処理回路に対する共通の回路として、構成されていることを特徴とする受光装置。
【請求項９】
請求項３に記載の受光装置において、
上記赤外光受光素子および上記可視光受光素子は、第１のチップ内に、配置され、
上記演算処理回路および上記リモコン信号処理回路は、第２のチップ内に、配置され、
上記照度検出処理回路は、第３のチップ内に、配置され、
上記赤外光受光素子、上記可視光受光素子および上記演算処理回路は、上記リモコン信号処理回路および上記照度検出処理回路に対する共通の回路として、構成されていることを特徴とする受光装置。
【請求項１０】
請求項３に記載の受光装置において、
上記赤外光受光素子および上記可視光受光素子は、第１のチップ内に、配置され、
上記演算処理回路および上記照度検出処理回路は、第２のチップ内に、配置され、
上記リモコン信号処理回路は、第３のチップ内に、配置され、
上記赤外光受光素子、上記可視光受光素子および上記演算処理回路は、上記リモコン信号処理回路および上記照度検出処理回路に対する共通の回路として、構成されていることを特徴とする受光装置。
【請求項１１】
請求項１から１０の何れか一つに記載の受光装置において、
上記封止樹脂は、透明樹脂であることを特徴とする受光装置。
【請求項１２】
請求項１から１１の何れか一つに記載の受光装置を備えることを特徴とする電子機器。
【発明の詳細な説明】
【技術分野】
【０００１】
この発明は、例えば、リモコンセンサと照度センサとの機能を有する受光装置、および、この受光装置を有する電子機器に関する。
【背景技術】
【０００２】
従来、受光装置としては、赤外光受光素子を、可視光カット樹脂にて封止する一方、可視光受光素子を、可視光透過樹脂にて封止したものがある（特開２００９−３３５５８号公報：特許文献１参照）。そして、赤外光受光素子から、赤外光成分の信号であるリモコン用受光信号を出力し、可視光受光素子から、可視光成分の信号である照度用受光信号を出力していた。
【０００３】
しかしながら、上記従来の受光装置では、赤外光受光素子および可視光受光素子をそれぞれ異なる樹脂にて封止していたので、封止樹脂の二色成形などを行う必要があり、製造の手間やコストがかかる問題があった。
【先行技術文献】
【特許文献】
【０００４】
【特許文献１】特開２００９−３３５５８号公報（図５）
【発明の概要】
【発明が解決しようとする課題】
【０００５】
そこで、この発明の課題は、赤外光受光素子および可視光受光素子を同一の樹脂にて封止でき、製造の手間やコストを省くことができる受光装置、および、この受光装置を有する電子機器を提供することにある。
【課題を解決するための手段】
【０００６】
上記課題を解決するため、この発明の受光装置は、
第１光を受ける第１受光素子と、
第２光を受けると共に、上記第１受光素子の分光感度特性とは異なる分光感度特性を有する第２受光素子と、
上記第１および第２受光素子の出力の出力成分のうち、互いに重複する分光感度領域に属する出力成分をキャンセルして、互いに異なる分光感度領域に属する出力成分を表す第１および第２信号を得るように、上記第１および第２受光素子の出力を演算処理する演算処理回路と、
上記第１受光素子、第２受光素子および演算処理回路を支持する支持部材と、
上記第１受光素子、第２受光素子および演算処理回路を封止する光透過性の同一の封止樹脂と
を備えることを特徴としている。
【０００７】
この発明の受光装置によれば、上記演算処理回路は、上記第１および第２受光素子の出力の出力成分のうち、互いに重複する分光感度領域に属する出力成分をキャンセルして、互いに異なる分光感度領域に属する出力成分を表す第１および第２信号を得るように、上記第１および第２受光素子の出力を演算処理し、上記同一の封止樹脂は、第１受光素子、第２受光素子および演算処理回路を封止するので、第１および第２受光素子を同一の封止樹脂にて封止しても、第１および第２信号を判別できる。
【０００８】
したがって、第１および第２受光素子を同一の封止樹脂にて封止でき、封止樹脂の二色成形などを行う必要がなく、製造の手間やコストを省くことができる。
【０００９】
また、一実施形態の受光装置では、
上記第１光はリモコン信号を表す赤外光であり、上記第１受光素子は赤外光受光素子であり、
上記第２光は可視光であり、上記第２受光素子は可視光受光素子であり、
上記第１信号は、リモコン用受光信号であり、上記第２信号は、照度用受光信号である。
【００１０】
この実施形態の受光装置によれば、上記第１光はリモコン信号を表す赤外光であり、上記第１受光素子は赤外光受光素子であり、上記第２光は可視光であり、上記第２受光素子は可視光受光素子であり、上記第１信号は、リモコン用受光信号であり、上記第２信号は、照度用受光信号であるので、赤外光受光素子および可視光受光素子を同一の封止樹脂にて封止しても、リモコン用受光信号および照度用受光信号を判別できる。
【００１１】
したがって、赤外光受光素子および可視光受光素子を同一の封止樹脂にて封止でき、封止樹脂の二色成形などを行う必要がなく、製造の手間やコストを省くことができる。
【００１２】
また、一実施形態の受光装置では、
上記演算処理回路からの上記リモコン用受光信号を受けて、上記リモコン信号を求めるリモコン信号処理回路と、
上記演算処理回路からの上記照度用受光信号を受けて、周囲の照度を求める照度検出処理回路と
を備え、
上記支持部材は、上記リモコン信号処理回路および上記照度検出処理回路を支持し、
上記封止樹脂は、上記リモコン信号処理回路および上記照度検出処理回路を封止している。
【００１３】
この実施形態の受光装置によれば、上記リモコン信号処理回路は、演算処理回路からのリモコン用受光信号を受けて、リモコン信号を求め、上記照度検出処理回路は、演算処理回路からの照度用受光信号を受けて、周囲の照度を求め、上記支持部材は、リモコン信号処理回路および照度検出処理回路を支持し、上記封止樹脂は、リモコン信号処理回路および照度検出処理回路を封止しているので、赤外光受光素子および可視光受光素子を同一の封止樹脂にて封止しても、リモコン信号および照度を判別できる。
【００１４】
また、一実施形態の受光装置では、上記赤外光受光素子、上記可視光受光素子、上記演算処理回路、上記リモコン信号処理回路および上記照度検出処理回路は、同一チップ内に、配置されている。
【００１５】
この実施形態の受光装置によれば、上記赤外光受光素子、上記可視光受光素子、上記演算処理回路、上記リモコン信号処理回路および上記照度検出処理回路は、同一チップ内に、配置されているので、各受光素子および各処理回路を、一つのチップに集約できて、管理が容易になる。
【００１６】
また、一実施形態の受光装置では、
上記赤外光受光素子、上記可視光受光素子、上記演算処理回路および上記照度検出処理回路は、第１のチップ内に、配置され、
上記リモコン信号処理回路は、第２のチップ内に、配置され、
上記赤外光受光素子、上記可視光受光素子および上記演算処理回路は、上記リモコン信号処理回路および上記照度検出処理回路に対する共通の回路として、構成されている。
【００１７】
この実施形態の受光装置によれば、上記赤外光受光素子、上記可視光受光素子、上記演算処理回路および上記照度検出処理回路は、第１のチップ内に、配置され、上記リモコン信号処理回路は、第２のチップ内に、配置されているので、各受光素子および各処理回路を、複数のチップに分割することで、一つのチップに集約したときに生じる無駄なスペースを排除できる。また、上記赤外光受光素子、可視光受光素子および演算処理回路は、リモコン信号処理回路および照度検出処理回路に対する共通の回路として、構成されているので、赤外光受光素子、可視光受光素子および演算処理回路を単一にできる。
【００１８】
また、一実施形態の受光装置では、
上記赤外光受光素子、上記可視光受光素子、上記演算処理回路および上記リモコン信号処理回路は、第１のチップ内に、配置され、
上記照度検出処理回路は、第２のチップ内に、配置され、
上記赤外光受光素子、上記可視光受光素子および上記演算処理回路は、上記リモコン信号処理回路および上記照度検出処理回路に対する共通の回路として、構成されている。
【００１９】
この実施形態の受光装置によれば、上記赤外光受光素子、上記可視光受光素子、上記演算処理回路および上記リモコン信号処理回路は、第１のチップ内に、配置され、上記照度検出処理回路は、第２のチップ内に、配置されているので、各受光素子および各処理回路を、複数のチップに分割することで、一つのチップに集約したときに生じる無駄なスペースを排除できる。また、上記赤外光受光素子、可視光受光素子および演算処理回路は、リモコン信号処理回路および照度検出処理回路に対する共通の回路として、構成されているので、赤外光受光素子、可視光受光素子および演算処理回路を単一にできる。
【００２０】
また、一実施形態の受光装置では、
上記赤外光受光素子および上記可視光受光素子は、第１のチップ内に、配置され、
上記演算処理回路、上記リモコン信号処理回路および上記照度検出処理回路は、第２のチップ内に、配置され、
上記赤外光受光素子、上記可視光受光素子および上記演算処理回路は、上記リモコン信号処理回路および上記照度検出処理回路に対する共通の回路として、構成されている。
【００２１】
この実施形態の受光装置によれば、上記赤外光受光素子および上記可視光受光素子は、第１のチップ内に、配置され、上記演算処理回路、上記リモコン信号処理回路および上記照度検出処理回路は、第２のチップ内に、配置されているので、赤外光受光素子および可視光受光素子を単独のチップに配置できて、受光素子に関わるコストを低減できる。また、各受光素子および各処理回路を、複数のチップに分割することで、一つのチップに集約したときに生じる無駄なスペースを排除できる。また、上記赤外光受光素子、可視光受光素子および演算処理回路は、リモコン信号処理回路および照度検出処理回路に対する共通の回路として、構成されているので、赤外光受光素子、可視光受光素子および演算処理回路を単一にできる。
【００２２】
また、一実施形態の受光装置では、
上記赤外光受光素子、上記可視光受光素子および上記演算処理回路は、第１のチップ内に、配置され、
上記リモコン信号処理回路は、第２のチップ内に、配置され、
上記照度検出処理回路は、第３のチップ内に、配置され、
上記赤外光受光素子、上記可視光受光素子および上記演算処理回路は、上記リモコン信号処理回路および上記照度検出処理回路に対する共通の回路として、構成されている。
【００２３】
この実施形態の受光装置によれば、上記赤外光受光素子、上記可視光受光素子および上記演算処理回路は、第１のチップ内に、配置され、上記リモコン信号処理回路は、第２のチップ内に、配置され、上記照度検出処理回路は、第３のチップ内に、配置されているので、各受光素子および各処理回路を、複数のチップに分割することで、一つのチップに集約したときに生じる無駄なスペースを排除できる。また、上記赤外光受光素子、可視光受光素子および演算処理回路は、リモコン信号処理回路および照度検出処理回路に対する共通の回路として、構成されているので、赤外光受光素子、可視光受光素子および演算処理回路を単一にできる。
【００２４】
また、一実施形態の受光装置では、
上記赤外光受光素子および上記可視光受光素子は、第１のチップ内に、配置され、
上記演算処理回路および上記リモコン信号処理回路は、第２のチップ内に、配置され、
上記照度検出処理回路は、第３のチップ内に、配置され、
上記赤外光受光素子、上記可視光受光素子および上記演算処理回路は、上記リモコン信号処理回路および上記照度検出処理回路に対する共通の回路として、構成されている。
【００２５】
この実施形態の受光装置によれば、上記赤外光受光素子および上記可視光受光素子は、第１のチップ内に、配置され、上記演算処理回路および上記リモコン信号処理回路は、第２のチップ内に、配置され、上記照度検出処理回路は、第３のチップ内に、配置されているので、赤外光受光素子および可視光受光素子を単独のチップに配置できて、受光素子に関わるコストを低減できる。また、各受光素子および各処理回路を、複数のチップに分割することで、一つのチップに集約したときに生じる無駄なスペースを排除できる。また、上記赤外光受光素子、可視光受光素子および演算処理回路は、リモコン信号処理回路および照度検出処理回路に対する共通の回路として、構成されているので、赤外光受光素子、可視光受光素子および演算処理回路を単一にできる。
【００２６】
また、一実施形態の受光装置では、
上記赤外光受光素子および上記可視光受光素子は、第１のチップ内に、配置され、
上記演算処理回路および上記照度検出処理回路は、第２のチップ内に、配置され、
上記リモコン信号処理回路は、第３のチップ内に、配置され、
上記赤外光受光素子、上記可視光受光素子および上記演算処理回路は、上記リモコン信号処理回路および上記照度検出処理回路に対する共通の回路として、構成されている。
【００２７】
この実施形態の受光装置によれば、上記赤外光受光素子および上記可視光受光素子は、第１のチップ内に、配置され、上記演算処理回路および上記照度検出処理回路は、第２のチップ内に、配置され、上記リモコン信号処理回路は、第３のチップ内に、配置されているので、赤外光受光素子および可視光受光素子を単独のチップに配置できて、受光素子に関わるコストを低減できる。また、各受光素子および各処理回路を、複数のチップに分割することで、一つのチップに集約したときに生じる無駄なスペースを排除できる。また、上記赤外光受光素子、可視光受光素子および演算処理回路は、リモコン信号処理回路および照度検出処理回路に対する共通の回路として、構成されているので、赤外光受光素子、可視光受光素子および演算処理回路を単一にできる。
【００２８】
また、一実施形態の受光装置では、上記封止樹脂は、透明樹脂である。
【００２９】
この実施形態の受光装置によれば、上記封止樹脂は、透明樹脂であるので、上記赤外光受光素子を封止する樹脂として、可視光成分をカットする染料を含んだ樹脂を用いる必要がなくて、コストを低減できる。
【００３０】
また、この発明の電子機器は、上記受光装置を備えることを特徴としている。
【００３１】
この発明の電子機器によれば、上記受光装置を備えるので、小型化および低価格化を実現できる。
【発明の効果】
【００３２】
この発明の受光装置によれば、上記演算処理回路は、上記第１および第２受光素子の出力の出力成分のうち、互いに重複する分光感度領域に属する出力成分をキャンセルして、互いに異なる分光感度領域に属する出力成分を表す第１および第２信号を得るように、上記第１および第２受光素子の出力を演算処理し、上記同一の封止樹脂は、第１受光素子、第２受光素子および演算処理回路を封止するので、第１および第２受光素子を同一の封止樹脂にて封止しても、第１および第２信号を判別でき、封止樹脂の二色成形などを行う必要がなく、製造の手間やコストを省くことができる。
【００３３】
この発明の電子機器によれば、上記受光装置を備えるので、小型化および低価格化を実現できる。
【図面の簡単な説明】
【００３４】
【図１】本発明の受光装置の第１実施形態を示す簡略構成図である。
【図２】受光装置のブロック図である。
【図３】本発明の受光装置の第２実施形態を示すと共に１例目の受光装置のブロック図である。
【図４】２例目の受光装置のブロック図である。
【図５】３例目の受光装置のブロック図である。
【図６】４例目の受光装置のブロック図である。
【図７】５例目の受光装置のブロック図である。
【図８】６例目の受光装置のブロック図である。
【発明を実施するための形態】
【００３５】
以下、この発明を図示の実施の形態により詳細に説明する。
【００３６】
（第１の実施形態）
図１は、この発明の受光装置の第１実施形態である簡略構成図を示している。この受光装置は、例えば、ＴＶ（テレビ）やＶＴＲ（ビデオテープレコーダ）等のＡＶ（オーディオビジュアル）機器、ＰＣ（パーソナルコンピュータ）等のＯＡ（オフィスオートメーション）機器などの電子機器に搭載され、この電子機器を遠隔制御するリモコン送信機から、遠隔制御のリモコン信号を受ける。また、この受光装置は、周囲の照度を表す外光を受ける。つまり、この受光装置は、リモコンセンサと照度センサとの機能を有する。
【００３７】
図１に示すように、上記受光装置は、第１受光素子としての赤外光受光素子１１と、第２受光素子としての可視光受光素子１２と、演算処理回路２０と、リモコン信号処理回路３０と、照度検出処理回路４０と、支持部材としてのリードフレーム５と、封止樹脂６とを有する。赤外光受光素子１１、可視光受光素子１２、演算処理回路２０、リモコン信号処理回路３０および照度検出処理回路４０は、同一チップ１内に、配置されている。
【００３８】
上記赤外光受光素子１１、可視光受光素子１２、演算処理回路２０、リモコン信号処理回路３０および照度検出処理回路４０は、リードフレーム５に、支持される。上記赤外光受光素子１１、可視光受光素子１２、演算処理回路２０、リモコン信号処理回路３０および照度検出処理回路４０は、同一の封止樹脂６に封止される。この封止樹脂６は、光透過性のモールド樹脂であり、例えば透明樹脂である。リードフレーム５および封止樹脂６を、金属や導電性樹脂などのシールド材で、覆うようにしてもよい。
【００３９】
図２に示すように、上記赤外光受光素子１１は、リモコン送信機から送信される第１光としてのリモコン信号を表す赤外光を受光する。赤外光受光素子１１は、赤外光（９００ｎｍ付近）に分光感度のピークを有するフォトダイオードからなる。
【００４０】
上記可視光受光素子１２は、第２光としての周囲の照度を表す可視光を受光する。可視光受光素子１２は、赤外光受光素子１１の分光感度特性とは異なる分光感度特性を有する。可視光受光素子１２は、可視光（５５０ｎｍ付近）に分光感度のピークを有するフォトダイオードからなる。
【００４１】
上記演算処理回路２０は、上記赤外光受光素子１１および上記可視光受光素子１２の出力の出力成分のうち、互いに重複する分光感度領域に属する出力成分をキャンセルして、互いに異なる分光感度領域に属する出力成分を表す第１信号としてのリモコン用受光信号Ｓ１および第２信号としての照度用受光信号Ｓ２を得るように、赤外光受光素子１１および可視光受光素子１２の出力を演算処理する。
【００４２】
具体的に述べると、上記演算処理回路２０は、第１のトランジスタ２１〜第６のトランジスタ２６を有する。そして、電源線１０と接地線１５との間に、第１のトランジスタ２１と赤外光受光素子１１とを直列に接続している。赤外光受光素子１１は、出力電流ＰＤ１を出力する。
【００４３】
また、上記電源線１０と接地線１５との間に、第２、第３のトランジスタ２２，２３を直列に接続し、また、第５、第６のトランジスタ２５，２６を直列に接続して、上記第１のトランジスタ２１のソースに、第１、第２、第５のトランジスタ２１，２２，２５のゲートを接続して、第１カレントミラー回路を構成している。
【００４４】
また、上記電源線１０と接地線１５との間に、可視光受光素子１２と第４のトランジスタ２４とを直列に接続している。可視光受光素子１１は、出力電流ＰＤ２を出力する。
【００４５】
上記第４のトランジスタ２４のドレインに、第３、第４、第６のトランジスタ２３，２４，２６のゲートを接続して、第２カレントミラー回路を構成している。
【００４６】
上記第２、第３のトランジスタ２２，２３との間からリモコン用受光信号Ｓ１を出力する。第１カレントミラー回路の第２のトランジスタ２２のミラー倍率をｍ、第２カレントミラー回路の第３のトランジスタ２３のミラー倍率ｎとすると、リモコン用受光信号Ｓ１は、Ｓ１＝ｍ・ＰＤ１−ｎ・ＰＤ２となる。このミラー倍率ｍ，ｎは、（ｍ・ＰＤ１−ｎ・ＰＤ２）という減算によって、赤外光受光素子１１の出力電流ＰＤ１と可視光受光素子１２の出力電流ＰＤ２のうち、互いに重複する分光感度領域に属する出力成分をキャンセルして、赤外光領域の出力成分を強調するように選定している。
【００４７】
上記第５、第６のトランジスタ２５と２６との間から照度用受光信号Ｓ２を出力する。第１カレントミラー回路の第５のトランジスタ２５のミラー倍率をｙ、第２カレントミラー回路の第６のトランジスタ２６のミラー倍率ｚとすると、照度用受光信号Ｓ２は、Ｓ２＝−（ｙ・ＰＤ１−ｚ・ＰＤ２）となる。このミラー倍率ｙ，ｚは、（ｙ・ＰＤ１−ｚ・ＰＤ２）という減算によって、赤外光受光素子１１の出力電流ＰＤ１と可視光受光素子１２の出力電流ＰＤ２とのうち、互いに重複する分光感度領域に属する出力成分をキャンセルして、可視光領域の出力成分を強調するように選定している。
【００４８】
上記リモコン信号処理回路３０は、演算処理回路２０からのリモコン用受光信号Ｓ１を受けて、リモコン送信機から送信されたリモコン信号を求める。
【００４９】
具体的に述べると、上記リモコン信号処理回路３０は、入力回路３１と、増幅回路３２と、バンドパスフィルタ３３と、検波回路３４と、出力回路３５とを有する。
【００５０】
そして、上記リモコン用受光信号Ｓ１を、入力回路３１によって電圧変換してから、増幅回路３２によって増幅する。なお、リモコンセンサとして、近距離（数ｍｍ）から遠距離（数十ｍ）までの感度が必要であるため、増幅回路３２を複数段（２段ないし３段）の構成として、高Ｇａｉｎとする。
【００５１】
そして、この増幅した信号には、リモコン送信機から送信された本来のリモコン信号のほかに、外乱光ノイズ成分も含まれる。このため、この増幅した信号からリモコン信号を取り出すために、増幅した信号から、バンドパスフィルタ３３によって、必要な周波数帯域の信号のみを抽出する。なお、リモコン信号には、副搬送波があり、３８ｋＨｚが一般的である。
【００５２】
そして、抽出した信号（リモコン信号）を、検波回路３４によって、送信信号と同様なデジタル波形情報として、出力回路１０７によって、出力する。この信号は、出力端子３６から出力される。この出力信号によって、電子機器の動作が制御される。
【００５３】
上記照度検出処理回路４０は、演算処理回路２０からの照度用受光信号Ｓ２を受けて、周囲の照度を求める。
【００５４】
具体的に述べると、上記照度検出処理回路４０は、温度補償回路付きの電流アンプ４６と、第１、第２のトランジスタ４１，４２と、定電流回路４７と、トランスコンダクタンスアンプ４３と、電流増幅率トリミング回路付きの電流増幅回路４４とを有する。
【００５５】
上記電流アンプ４６の出力側と、第１のトランジスタ４１のエミッタ側と、トランスコンダクタンスアンプ４３のプラスの入力側とは、接続されている。上記第２のトランジスタ４２のエミッタ側と、トランスコンダクタンスアンプ４３のマイナスの入力側と、定電流回路４７とは、接続されている。
【００５６】
そして、上記照度用受光信号Ｓ２を、電流アンプ４６によって増幅してから、第１のトランジスタ４１によって対数圧縮された電圧に変換する。また、定電流回路４７の基準電流を、第２のトランジスタ４２によって、対数圧縮された電圧に変換する。
【００５７】
そして、上記２つの電圧差を、トランスコンダクタンスアンプ４３によって電流変換し、電流増幅回路４４によって増幅してから、出力端子４５から出力値（Ｉｏ（μＡ）＝１０×Ｌｏｇ（照度））として出力する。この出力値によって、電子機器のコントラストが調整される。
【００５８】
上記構成の受光装置によれば、上記演算処理回路２０は、赤外光受光素子１１および可視光受光素子１２の出力の出力成分のうち、互いに重複する分光感度領域に属する出力成分をキャンセルして、互いに異なる分光感度領域に属する出力成分を表すリモコン用受光信号Ｓ１および照度用受光信号Ｓ２を得るように、赤外光受光素子１１および可視光受光素子１２の出力を演算処理し、上記同一の封止樹脂６は、赤外光受光素子１１、可視光受光素子１２および演算処理回路２０を封止するので、赤外光受光素子１１および可視光受光素子１２を同一の封止樹脂６にて封止しても、リモコン用受光信号Ｓ１および照度用受光信号Ｓ２を判別できる。
【００５９】
したがって、赤外光受光素子１１および可視光受光素子１２を同一の封止樹脂６にて封止でき、封止樹脂６の二色成形などを行う必要がなく、製造の手間やコストを省くことができる。
【００６０】
また、上記リモコン信号処理回路３０は、演算処理回路２０からのリモコン用受光信号Ｓ１を受けて、リモコン信号を求め、上記照度検出処理回路４０は、演算処理回路２０からの照度用受光信号Ｓ２を受けて、周囲の照度を求め、上記リードフレーム５は、リモコン信号処理回路３０および照度検出処理回路４０を支持し、上記封止樹脂６は、リモコン信号処理回路３０および照度検出処理回路４０を封止しているので、赤外光受光素子１１および可視光受光素子１２を同一の封止樹脂６にて封止しても、リモコン信号および照度を判別できる。
【００６１】
また、上記赤外光受光素子１１、上記可視光受光素子１２、上記演算処理回路２０、上記リモコン信号処理回路３０および上記照度検出処理回路４０は、同一チップ１内に、配置されているので、各受光素子１１，１２および各処理回路２０，３０，４０を、一つのチップに集約できて、管理が容易になる。
【００６２】
また、上記封止樹脂６は、透明樹脂であるので、上記赤外光受光素子１１を封止する樹脂として、可視光成分をカットする染料を含んだ樹脂を用いる必要がなくて、コストを低減できる。
【００６３】
上記構成の電子機器によれば、上記受光装置を備えるので、小型化および低価格化を実現できる。
【００６４】
（第２の実施形態）
図３から図８は、この発明の受光装置の第２の実施形態を示している。上記第１の実施形態と相違する点を説明すると、この第２の実施形態では、赤外光受光素子、可視光受光素子、演算処理回路、リモコン信号処理回路および照度検出処理回路を、一つのチップでなく、複数のチップに分けて配置している。なお、上記第１の実施形態と同一の符号は、上記第１の実施形態と同じ構成であるため、その説明を省略する。
【００６５】
図３に示すように、１例目の受光装置では、赤外光受光素子１１、可視光受光素子１２、演算処理回路２０および照度検出処理回路４０は、第１のチップ１Ａ内に、配置され、リモコン信号処理回路３０は、第２のチップ２Ａ内に、配置されている。赤外光受光素子１１、可視光受光素子１２および演算処理回路２０は、リモコン信号処理回路３０および照度検出処理回路４０に対する共通の回路として、構成されている。
【００６６】
リモコン信号処理回路３０の入力に対して、演算処理回路２０の１端子からリモコン用受光信号が供給される配線構成となっている。
【００６７】
上記構成の受光装置によれば、各受光素子１１，１２および各処理回路２０，３０，４０を、複数のチップ１Ａ，２Ａに分割することで、一つのチップに集約したときに生じる無駄なスペースを排除できる。また、赤外光受光素子１１、可視光受光素子１２および演算処理回路２０を、共通回路として単一にできる。
【００６８】
図４に示すように、２例目の受光装置では、赤外光受光素子１１、可視光受光素子１２、演算処理回路２０およびリモコン信号処理回路３０は、第１のチップ１Ｂ内に、配置され、照度検出処理回路４０は、第２のチップ２Ｂ内に、配置されている。赤外光受光素子１１、可視光受光素子１２および演算処理回路２０は、リモコン信号処理回路３０および照度検出処理回路４０に対する共通の回路として、構成されている。
【００６９】
照度検出処理回路４０の入力に対して、演算処理回路２０の１端子から照度用受光信号が供給される配線構成となっている。
【００７０】
上記構成の受光装置によれば、各受光素子１１，１２および各処理回路２０，３０，４０を、複数のチップ１Ｂ，２Ｂに分割することで、一つのチップに集約したときに生じる無駄なスペースを排除できる。また、赤外光受光素子１１、可視光受光素子１２および演算処理回路２０を、共通回路として単一にできる。
【００７１】
図５に示すように、３例目の受光装置では、赤外光受光素子１１および可視光受光素子１２は、第１のチップ１Ｃ内に、配置され、演算処理回路２０、リモコン信号処理回路３０および照度検出処理回路４０は、第２のチップ２Ｃ内に、配置されている。赤外光受光素子１１、可視光受光素子１２および演算処理回路２０は、リモコン信号処理回路３０および照度検出処理回路４０に対する共通の回路として、構成されている。
【００７２】
演算処理回路２０の入力に対して、赤外光受光素子１１および可視光受光素子１２のそれぞれの端子（赤外光受光素子のアノードおよびカソードの２端子と、可視光受光素子のアノードおよびカソードの２端子との、合計４端子）からＰＤ信号が供給される配線構成となっている。
【００７３】
上記構成の受光装置によれば、赤外光受光素子１１および可視光受光素子１２を単独のチップ１Ｃに配置できて、受光素子に関わるコストを低減できる。また、各受光素子１１，１２および各処理回路２０，３０，４０を、複数のチップ１Ｃ，２Ｃに分割することで、一つのチップに集約したときに生じる無駄なスペースを排除できる。また、赤外光受光素子１１、可視光受光素子１２および演算処理回路２０を、共通回路として単一にできる。
【００７４】
図６に示すように、４例目の受光装置では、赤外光受光素子１１、可視光受光素子１２および演算処理回路２０は、第１のチップ１Ｄ内に、配置され、リモコン信号処理回路３０は、第２のチップ２Ｄ内に、配置され、照度検出処理回路４０は、第３のチップ３Ｄ内に、配置されている。赤外光受光素子１１、可視光受光素子１２および演算処理回路２０は、リモコン信号処理回路３０および照度検出処理回路４０に対する共通の回路として、構成されている。
【００７５】
リモコン信号処理回路３０の入力に対して、演算処理回路２０の１端子からリモコン用受光信号が供給される配線構成となっている。照度検出処理回路４０の入力に対して、演算処理回路２０の別の１端子から照度用受光信号が供給される配線構成となっている。
【００７６】
上記構成の受光装置によれば、各受光素子１１，１２および各処理回路２０，３０，４０を、複数のチップ１Ｄ，２Ｄ，３Ｄに分割することで、一つのチップに集約したときに生じる無駄なスペースを排除できる。また、赤外光受光素子１１、可視光受光素子１２および演算処理回路２０を、共通回路として単一にできる。
【００７７】
図７に示すように、５例目の受光装置では、赤外光受光素子１１および可視光受光素子１２は、第１のチップ１Ｅ内に、配置され、演算処理回路２０およびリモコン信号処理回路３０は、第２のチップ２Ｅ内に、配置され、照度検出処理回路４０は、第３のチップ３Ｅ内に、配置されている。赤外光受光素子１１、可視光受光素子１２および演算処理回路２０は、リモコン信号処理回路３０および照度検出処理回路４０に対する共通の回路として、構成されている。
【００７８】
演算処理回路２０の入力に対して、赤外光受光素子１１および可視光受光素子１２のそれぞれの端子（赤外光受光素子のアノードおよびカソードの２端子と、可視光受光素子のアノードおよびカソードの２端子との、合計４端子）からＰＤ信号が供給される配線構成となっている。照度検出処理回路４０の入力に対して、演算処理回路２０の１端子から照度用受光信号が供給される配線構成となっている。
【００７９】
上記構成の受光装置によれば、赤外光受光素子１１および可視光受光素子１２を単独のチップ１Ｅに配置できて、受光素子に関わるコストを低減できる。また、各受光素子１１，１２および各処理回路２０，３０，４０を、複数のチップ１Ｅ，２Ｅ，３Ｅに分割することで、一つのチップに集約したときに生じる無駄なスペースを排除できる。また、赤外光受光素子１１、可視光受光素子１２および演算処理回路２０を、共通回路として単一にできる。
【００８０】
図８に示すように、６例目の受光装置では、赤外光受光素子１１および可視光受光素子１２は、第１のチップ１Ａ内に、配置され、演算処理回路２０および照度検出処理回路４０は、第２のチップ２Ａ内に、配置され、リモコン信号処理回路３０は、第３のチップ内に、配置されている。赤外光受光素子１１、可視光受光素子１２および演算処理回路２０は、リモコン信号処理回路３０および照度検出処理回路４０に対する共通の回路として、構成されている。
【００８１】
演算処理回路２０の入力に対して、赤外光受光素子１１および可視光受光素子１２のそれぞれの端子（赤外光受光素子のアノードおよびカソードの２端子と、可視光受光素子のアノードおよびカソードの２端子との、合計４端子）からＰＤ信号が供給される配線構成となっている。リモコン信号処理回路３０の入力に対して、演算処理回路２０の１端子からリモコン用受光信号が供給される配線構成となっている。
【００８２】
上記構成の受光装置によれば、赤外光受光素子１１および可視光受光素子１２を単独のチップ１Ｆに配置できて、受光素子に関わるコストを低減できる。また、各受光素子１１，１２および各処理回路２０，３０，４０を、複数のチップ１Ｆ，２Ｆ，３Ｆに分割することで、一つのチップに集約したときに生じる無駄なスペースを排除できる。また、赤外光受光素子１１、可視光受光素子１２および演算処理回路２０を、共通回路として単一にできる。
【００８３】
なお、この発明は上述の実施形態に限定されない。例えば、上記第１、上記第２の実施形態のそれぞれの特徴点を様々に組み合わせてもよい。また、赤外光受光素子と、可視光受光素子と、演算処理回路と、リモコン信号処理回路と、照度検出処理回路との組合せについては、上記第１、上記第２の実施形態の組合せ以外の組合せであってもよい。また、赤外光受光素子、可視光受光素子、演算処理回路、リモコン信号処理回路および照度検出処理回路を、リードフレーム以外に、基板などの支持部材に支持してもよい。
【００８４】
また、赤外光受光素子１１や可視光受光素子１２以外に、第１光を受ける第１受光素子と、第２光を受けると共に、第１受光素子の分光感度特性とは異なる分光感度特性を有する第２受光素子とを用いてもよく、この場合、演算処理回路は、第１および第２受光素子の出力の出力成分のうち、互いに重複する分光感度領域に属する出力成分をキャンセルして、互いに異なる分光感度領域に属する出力成分を表す第１および第２信号を得るように、第１および第２受光素子の出力を演算処理する。
【符号の説明】
【００８５】
１  チップ
１Ａ〜１Ｆ  第１のチップ
２Ａ〜２Ｆ  第２のチップ
３Ｄ〜３Ｆ  第３のチップ
５  リードフレーム（支持部材）
６  封止樹脂
１１  赤外光受光素子（第１受光素子）
１２  可視光受光素子（第２受光素子）
２０  演算処理回路
３０  リモコン信号処理回路
４０  照度検出処理回路
Ｓ１  リモコン用受光信号（第１信号）
Ｓ２  照度用受光信号（第２信号）
【図１】
2012132835.tif 000003
【図２】
2012132835.tif 000004
【図３】
2012132835.tif 000005
【図４】
2012132835.tif 000006
【図５】
2012132835.tif 000007
【図６】
2012132835.tif 000008
【図７】
2012132835.tif 000009
【図８】
2012132835.tif 000010